(57)【要約】【課題】被写体全員が目つぶりをしていない画像を簡単に撮影できるようにする。【解決手段】表示制御部２０ｄは、ＯＳＤ信号発生回路１４８ａを制御し、目が閉じていると判断された目領域を有する顔領域の周縁枠の属性を変更し、属性の変更された周縁枠の映像信号を生成させ、これを記録用画像と合成してＬＣＤ１０２に表示させる。または表示制御部２０ｄは、目が閉じていると判断された目領域を有する顔領域内部の属性を変更し、属性の変更された顔領域の映像信号を生成させ、これを記録用画像と合成してＬＣＤ１０２に表示させる。【選択図】  図７
2008131094.tif 000002
【特許請求の範囲】
【請求項１】
被写体から撮影レンズを介して入射した光を受光して継続的に撮像信号に変換して出力する撮像素子、前記撮像素子から出力された撮像信号を画像データに変換して出力する画像データ変換部、前記画像データの記録指示を入力する記録指示部、前記記録指示部が前記記録指示の入力を受け付けたことに応じて前記撮像素子の露光を制御するシャッタ制御部、前記シャッタ制御部による露光の制御に応じて前記撮像素子から出力された撮像信号の画像データを記録する記録部、および少なくとも前記記録部に記録された画像データを表示する表示部を備える撮像装置であって、
前記記録部に記録された画像データに基づいて前記被写体の顔領域を検出する顔検出部と、
前記顔検出部の検出した顔領域ごとに目の存在する目領域を検出する目領域検出部と、
前記目領域検出部の検出した目領域内の目が開いているか又は閉じているかを顔領域ごとに判断する目開閉検出部と、
前記目開閉検出部が目が閉じていると判断した顔領域である目つぶり顔領域が少なくとも１つ存在する場合、前記目つぶり顔領域の周縁部もしくは内部の属性を変更して表示するよう前記表示部を制御する表示制御部と、
を備える撮像装置。
【請求項２】
前記表示制御部は、前記目つぶり顔領域が少なくとも１つ存在する場合、所定の警告を前記画像データと合成して表示するよう前記表示部を制御する請求項１に記載の撮像装置。
【請求項３】
被写体から撮影レンズを介して入射した光を受光して継続的に撮像信号に変換して出力する撮像素子、前記撮像素子から出力された撮像信号を画像データに変換して出力する画像データ変換部、前記画像データの記録指示を入力する記録指示部、セルフ撮影モードを設定するセルフ撮影設定部、前記セルフ撮影設定部により前記セルフ撮影モードが設定された状態において、前記記録指示部が前記記録指示の入力を受け付けたことに応じ、所定の期間の計時を行うセルフタイマ回路、前記セルフタイマ回路による前記所定の期間の計時が完了したことに応じて前記撮像素子の露光の制御を行うシャッタ制御部、および前記シャッタ制御部による露光の制御に応じて前記撮像素子から出力された撮像信号の画像データを記録する記録部、少なくとも前記記録部に記録された画像データを表示する表示部を備える撮像装置であって、
前記記録部に記録された画像データに基づいて前記被写体の顔領域を検出する顔検出部と、
前記顔検出部の検出した顔領域ごとに目の存在する目領域を検出する目領域検出部と、
前記目領域検出部の検出した目領域内の目が開いているか又は閉じているかを顔領域ごとに判断する目開閉検出部と、
前記目開閉検出部が目が閉じていると判断した顔領域である目つぶり顔領域が少なくとも１つ存在する場合、前記セルフタイマ回路に前記所定の期間の計時を再び実行させるよう制御する撮像制御部と、
を備える撮像装置。
【請求項４】
前記記録部に記録されている前記目つぶり顔領域の検出された画像データである目つぶり顔画像を前記表示部に表示する表示制御部と、
前記目つぶり画像データ以外の所望の画像データ中の所望の顔領域である合成元顔領域の選択を受け付ける顔領域選択部と、
前記顔領域選択部が選択を受け付けた合成元顔領域を、前記目つぶり画像データにおける前記目つぶり顔領域の存在位置に合成した画像を生成し、生成された合成画像を前記記録部に記録する合成部と、
をさらに備える請求項３に記載の撮像装置。
【請求項５】
少なくとも前記セルフタイマ回路による前記所定の期間の計時の進行中、発光する発光部と、
前記所定の期間の計時の進行を示す第１の発光パターンで発光させるよう前記発光部を制御する発光制御部と、
をさらに備え、
前記発光制御部は、前記目つぶり顔領域が存在しない場合、前記目つぶり顔領域が存在していない画像データが記録された旨を示す第２の発光パターンで発光させるよう前記発光部を制御する請求項３または４に記載の撮像装置。
【請求項６】
被写体から撮影レンズを介して入射した光を受光して継続的に撮像信号に変換して出力する撮像素子、前記撮像素子から出力された撮像信号を画像データに変換して出力する画像データ変換部、前記画像データの記録指示を入力する記録指示部、前記記録指示部が前記記録指示の入力を受け付けたことに応じて前記撮像素子の露光を制御するシャッタ制御部、前記シャッタ制御部による露光の制御に応じて前記撮像素子から出力された撮像信号の画像データを記録する記録部、および少なくとも前記記録部に記録された画像データを表示する表示部を備える撮像装置に用いられる撮像方法であって、
前記記録部に記録された画像データに基づいて前記被写体の顔領域を検出するステップと、
検出された顔領域ごとに目の存在する目領域を検出するステップと、
検出された目領域内の目が開いているか又は閉じているかを顔領域ごとに判断するステップと、
目が閉じていると判断された顔領域である目つぶり顔領域が少なくとも１つ存在する場合、前記目つぶり顔領域の周縁部もしくは内部の属性を変更して表示するよう前記表示部を制御するステップと、
を含む撮像方法。
【請求項７】
被写体から撮影レンズを介して入射した光を受光して継続的に撮像信号に変換して出力する撮像素子、前記撮像素子から出力された撮像信号を画像データに変換して出力する画像データ変換部、前記画像データの記録指示を入力する記録指示部、セルフ撮影モードを設定するセルフ撮影設定部、前記セルフ撮影設定部により前記セルフ撮影モードが設定された状態において、前記記録指示部が前記記録指示の入力を受け付けたことに応じ、所定の期間の計時を行うセルフタイマ回路、前記セルフタイマ回路による前記所定の期間の計時が完了したことに応じて前記撮像素子の露光の制御を行うシャッタ制御部、および前記シャッタ制御部による露光の制御に応じて前記撮像素子から出力された撮像信号の画像データを記録する記録部、少なくとも前記記録部に記録された画像データを表示する表示部を備える撮像装置に用いられる撮像方法であって、
前記記録部に記録された画像データに基づいて前記被写体の顔領域を検出するステップと、
検出された顔領域ごとに目の存在する目領域を検出するステップと、
検出された目領域内の目が開いているか又は閉じているかを顔領域ごとに判断するステップと、
目が閉じていると判断された顔領域である目つぶり顔領域が少なくとも１つ存在する場合、前記セルフタイマ回路に前記所定の期間の計時を再び実行させるよう制御するステップと、
を含む撮像方法。
【発明の詳細な説明】
【技術分野】
【０００１】
本発明は顔検出を応用したカメラに関する。
【背景技術】
【０００２】
従来、被写体が確実に目を開いた状態で撮影が行えるようにする技術が知られている。例えば特許文献１によると、まばたき検出回路を具え、まばたき検出回路から瞳部分が小さくなった旨の信号を受けた際には、被写体のデジタル画像を画像メモリに格納した後に、瞳部分が小さくなった画像を画像メモリに格納した旨を撮影者に知らせる。
【特許文献１】特開２００３−３３８９５２号公報
【発明の開示】
【発明が解決しようとする課題】
【０００３】
特許文献１の技術では、限られた撮影機会では、被写体の数が複数になると、顔がきちんと写っているか、あるいは目がちゃんと開いているかというチェックが困難である。特に集合写真では、後から誰かが目つぶりをしていることが発見されると、撮影者自身のミスにされてしまう。
【０００４】
本発明はこのような問題点に鑑みてなされたもので、被写体全員が目つぶりをしていない画像を簡単に撮影できるようにすることを目的とする。
【課題を解決するための手段】
【０００５】
本発明は、被写体から撮影レンズを介して入射した光を受光して継続的に撮像信号に変換して出力する撮像素子、撮像素子から出力された撮像信号を画像データに変換して出力する画像データ変換部、画像データの記録指示を入力する記録指示部、記録指示部が記録指示の入力を受け付けたことに応じて撮像素子の露光を制御するシャッタ制御部、シャッタ制御部による露光の制御に応じて撮像素子から出力された撮像信号の画像データを記録する記録部、および少なくとも記録部に記録された画像データを表示する表示部を備える撮像装置に関する。
【０００６】
本発明に係る撮像装置は、記録部に記録された画像データに基づいて被写体の顔領域を検出する顔検出部と、顔検出部の検出した顔領域ごとに目の存在する目領域を検出する目領域検出部と、目領域検出部の検出した目領域内の目が開いているか又は閉じているかを顔領域ごとに判断する目開閉検出部と、目開閉検出部が目が閉じていると判断した顔領域である目つぶり顔領域が少なくとも１つ存在する場合、目つぶり顔領域の周縁部もしくは内部の属性を変更して表示するよう表示部を制御する表示制御部と、を備える。
【０００７】
この発明によると、撮像素子のシャッタ動作に応じて取得された画像データから、目をつぶっていると判断された顔領域である目つぶり顔領域が少なくとも１つ存在する場合、その画像データにおける目つぶり顔領域の周縁部もしくは内部の属性が変更されて表示される。このため、どの被写体に目つぶりが発生したかを撮影者が容易に知ることができ、目つぶりの生じていない画像を再撮影する機会を逃す可能性が低くなる。
【０００８】
表示制御部は、目つぶり顔領域が少なくとも１つ存在する場合、所定の警告を画像データと合成して表示するよう表示部を制御してもよい。
【０００９】
こうすると、目つぶりが発生していることが容易に分かる。
【００１０】
また、本発明は、被写体から撮影レンズを介して入射した光を受光して継続的に撮像信号に変換して出力する撮像素子、撮像素子から出力された撮像信号を画像データに変換して出力する画像データ変換部、画像データの記録指示を入力する記録指示部、セルフ撮影モードを設定するセルフ撮影設定部、セルフ撮影設定部によりセルフ撮影モードが設定された状態において、記録指示部が記録指示の入力を受け付けたことに応じ、所定の期間の計時を行うセルフタイマ回路、セルフタイマ回路による所定の期間の計時が完了したことに応じて撮像素子の露光の制御を行うシャッタ制御部、およびシャッタ制御部による露光の制御に応じて撮像素子から出力された撮像信号の画像データを記録する記録部、少なくとも記録部に記録された画像データを表示する表示部を備える撮像装置に関する。
【００１１】
本発明に係る撮像装置は、記録部に記録された画像データに基づいて被写体の顔領域を検出する顔検出部と、顔検出部の検出した顔領域ごとに目の存在する目領域を検出する目領域検出部と、目領域検出部の検出した目領域内の目が開いているか又は閉じているかを顔領域ごとに判断する目開閉検出部と、目開閉検出部が目が閉じていると判断した顔領域である目つぶり顔領域が少なくとも１つ存在する場合、セルフタイマ回路に所定の期間の計時を再び実行させるよう制御する撮像制御部と、を備える。
【００１２】
この発明によると、目つぶり顔領域が少なくとも１つ存在する場合、セルフタイマ回路の計時が再び実行され、計時が完了すると、撮像素子のシャッタ動作に応じて画像データが再び取得される。この画像データについて再び目つぶり顔領域の検出を行うことで、目つぶりの発生していない画像データが得られるまで、セルフ撮影が繰り返される。撮影者は、いちいち被写体に目つぶりが発生しているか否かを確認する必要がない。
【００１３】
記録部に記録されている目つぶり顔領域の検出された画像データである目つぶり顔画像を表示部に表示する表示制御部と、目つぶり画像データ以外の所望の画像データ中の所望の顔領域である合成元顔領域の選択を受け付ける顔領域選択部と、顔領域選択部が選択を受け付けた合成元顔領域を、目つぶり画像データにおける目つぶり顔領域の存在位置に合成した画像を生成し、生成された合成画像を記録部に記録する合成部と、をさらに備えてもよい。
【００１４】
集合写真では誰かが目をつぶってしまうことが多いが、ある被写体に目つぶりが発生したとしても、セルフ撮影を繰り返し、同じ撮影機会で得られた別の画像データでその被写体が目をつぶっていなければ、同一の被写体の目をつぶっていない顔領域で目をつぶっている顔領域を置換することができる。
【００１５】
少なくともセルフタイマ回路による所定の期間の計時の進行中、発光する発光部と、所定の期間の計時の進行を示す第１の発光パターンで発光させるよう発光部を制御する発光制御部と、をさらに備え、発光制御部は、目つぶり顔領域が存在しない場合、目つぶり顔領域が存在していない画像データが記録された旨を示す第２の発光パターンで発光させるよう発光部を制御してもよい。
【００１６】
こうすると、目つぶりの発生していない画像データが得られたことが発光で分かる。なお、第１の発光パターンと第２の発光パターンが異なるようにすれば、セルフ撮影の進行と見分けがつく。
【００１７】
本発明に係る撮像方法は、上記の撮像装置に用いられる。この方法は、記録部に記録された画像データに基づいて被写体の顔領域を検出するステップと、検出された顔領域ごとに目の存在する目領域を検出するステップと、検出された目領域内の目が開いているか又は閉じているかを顔領域ごとに判断するステップと、目が閉じていると判断された顔領域である目つぶり顔領域が少なくとも１つ存在する場合、目つぶり顔領域の周縁部もしくは内部の属性を変更して表示するよう表示部を制御するステップと、を含む。
【００１８】
本発明に係る撮像方法は、記録部に記録された画像データに基づいて被写体の顔領域を検出するステップと、検出された顔領域ごとに目の存在する目領域を検出するステップと、検出された目領域内の目が開いているか又は閉じているかを顔領域ごとに判断するステップと、目が閉じていると判断された顔領域である目つぶり顔領域が少なくとも１つ存在する場合、セルフタイマ回路に所定の期間の計時を再び実行させるよう制御するステップと、を含む。
【発明の効果】
【００１９】
この発明によると、撮像素子のシャッタ動作に応じて取得された画像データから、目をつぶっていると判断された顔領域である目つぶり顔領域が少なくとも１つ存在する場合、その画像データにおける目つぶり顔領域の周縁部もしくは内部の属性が変更されて表示される。このため、どの被写体に目つぶりが発生したかを撮影者が容易に知ることができ、目つぶりの生じていない画像を再撮影する機会を逃す可能性が低くなる。
【００２０】
この発明によると、目つぶり顔領域が少なくとも１つ存在する場合、セルフタイマ回路の計時が再び実行され、計時が完了すると、撮像素子のシャッタ動作に応じて画像データが取得される。この画像データについて再び目つぶり顔領域の検出を行うことで、目つぶりの発生していない画像データが得られるまで、セルフ撮影が繰り返される。撮影者は、いちいち被写体に目つぶりが発生しているか否かを確認する必要がない。
【発明を実施するための最良の形態】
【００２１】
以下、添付した図面を参照し本発明の好ましい実施の形態を説明する。
【００２２】
＜第１実施形態＞
図１は、本発明の好ましい実施形態に係るデジタルカメラ（以下カメラと略す）１００の正面図である。
【００２３】
カメラ１００の正面に配備されたレンズ鏡胴６０には、ズームレンズ１０１ａ及びフォーカスレンズ１０１ｂを含む撮影レンズ１０１が内蔵されており、ズームレンズ１０１ａを光軸方向に移動させることで焦点距離調節が行なわれるとともに、フォーカスレンズ１０１ｂを光軸方向に移動させることによりピント調節が行なわれる。
【００２４】
レンズ鏡筒６０は、カメラボディ１８０に沈胴した状態から、予め設定された最短焦点距離位置であるワイド端と最長焦点距離位置であるテレ端との間で進退することで、カメラボディ１８０から繰り出し、また収納される。この図では、レンズ鏡胴６０がカメラボディ１８０に沈胴した状態が示されている。
【００２５】
またカメラ１００には、非撮影時には撮影レンズ１０１の前面を覆って撮影レンズ１０１と外界とを遮ることで撮影レンズ１０１を保護する状態をつくり出すとともに、撮像時には撮像レンズを外界に露出するレンズカバー６１が設けられている。
【００２６】
レンズカバー６１は開閉自在な機構で構成されており、開放状態で撮影レンズ１０１の前面を覆い、閉鎖状態で撮影レンズ１０１の前面を外界に露出する。レンズカバー６１は電源スイッチ１２１のオン／オフに連動して開放／閉鎖される。この図ではレンズカバー６１は開放状態となっている。
【００２７】
カメラ１００の上面には、中央部分にレリーズスイッチ１０４の配備されたモードダイヤル１２３と電源スイッチ１２１とが配備されており、正面には、ストロボ１０５ａ、ＡＦ補助光ランプ１０５ｂ、セルフタイマランプ１０５ｃ等が配備されている。
【００２８】
図２はカメラ１００の背面図である。カメラ１００の背面には、ズームスイッチ１２７が配備されている。ズームスイッチ１２７のワイド（Ｗ）側を押すと、押し続けている間、レンズ鏡胴６０がワイド端（望遠）側に繰り出し、テレ（Ｔ）側の他方を押すと、押し続けている間、レンズ鏡胴６０がテレ端（広角）側に移動する。
【００２９】
カメラ１００の背面には、画像表示ＬＣＤ１０２、十字キー１２４、情報位置指定キー１２６等も設けられている。十字キー１２４は、上下左右がそれぞれ表示明るさ調節／セルフタイマ／マクロ撮影／ストロボ撮影を設定する操作系である。後述するが、十字キー１２４の下キーを押下することで、セルフタイマ回路８３の計時完了後にメインＣＰＵ２０がＣＣＤ１３２にシャッタ動作を行わせるセルフ撮影モードの設定を行える。
【００３０】
図３は第１実施形態に係るカメラ１００のブロック図である。カメラ１００にはユーザがこのカメラ１００を使用するときに種々の操作を行なうための操作部１２０が設けられている。この操作部１２０には、カメラ１００を作動させるための電源投入用の電源スイッチ１２１、オート撮影やマニュアル撮影等を選択するためのモードダイヤル１２３、各種のメニューの設定や選択あるいはズームを行なうための十字キー１２４、閃光発光用スイッチ１２５、および十字キー１２４で選択されたメニューの実行やキャンセル等を行なうための情報位置指定キー１２６が備えられている。
【００３１】
また、カメラ１００には、撮影画像や再生画像等を表示するための画像表示ＬＣＤ１０２と、操作の手助けを行なうための操作ＬＣＤ表示１０３が備えられている。
【００３２】
このカメラ１００にはレリーズスイッチ１０４が配備されている。このレリーズスイッチ１０４によって撮影の開始指示がメインＣＰＵ２０へと伝えられる。このカメラ１００では所定のメニュー画面によって撮影と再生との切り替えが自在になっている。また、カメラ１００には、コントラストＡＦ時に被写体に投光スポットを照射するための発光ダイオード（ＬＥＤ）からなるＡＦ補助光ランプ１０５ｂ、閃光を発光するストロボ１０５ａを有する閃光発光装置が配備されている。
【００３３】
また、カメラ１００には、撮影レンズ１０１と、絞り１３１と、撮影レンズ１０１および絞り１３１を経由して結像された被写体像をアナログの画像信号に変換する撮像素子であるＣＣＤセンサ１３２（以下ＣＣＤ１３２と略記する）とが備えられている。ＣＣＤ１３２は、ＣＣＤ１３２に照射された被写体光により発生した電荷を可変の電荷蓄積時間（露光期間）の間蓄積することにより画像信号を生成するものである。ＣＣＤ１３２からは、ＣＧ部１３６から出力される垂直同期信号ＶＤに同期したタイミングでフレーム毎の画像信号が順次出力される。
【００３４】
撮像素子にＣＣＤ１３２を用いた場合には、色偽信号やモアレ縞等の発生を防止するために、入射光内の不要な高周波成分を除去する光学的ローパスフィルタ１３２ａが配設されている。また、入射光内の赤外線を吸収若しくは反射して、長波長域で感度が高いＣＣＤセンサ１３２固有の感度特性を補正する赤外カットフィルタ１３２ｂが配設されている。光学的ローパスフィルタ１３２ａ及び赤外カットフィルタ１３２ｂの具体的な配設の態様は特に限定されない。
【００３５】
また、カメラ１００には、ＣＣＤセンサ１３２からのアナログ画像信号が表わす被写体像のホワイトバランスを合わせるとともにその被写体像の階調特性における直線の傾き（γ）を調節し、さらにアナログ画像信号を増幅する増幅率可変の増幅器を含む白バランス・γ処理部１３３が備えられている。
【００３６】
さらに、カメラ１００には、白バランス・γ処理部１３３からのアナログ信号をディジタルのＲ，Ｇ，Ｂ画像データにＡ／Ｄ変換するＡ／Ｄ変換部１３４と、そのＡ／Ｄ変換部１３４からのＲ，Ｇ，Ｂ画像データを格納するバッファメモリ１３５が備えられている。
【００３７】
Ａ／Ｄ変換部１３４によって得られたＲ，Ｇ，Ｂ画像データは、ＡＦ検出部１５０にも入力される。ＡＦ検出部１５０は、Ｒ，Ｇ，Ｂ画像データを１画面の所定の分割エリア毎にかつ同じ色成分毎に積算平均し、さらにフレームごとに、全エリアのＲ，Ｇ，Ｂ画像データの積算平均値Ｉｒ，Ｉｇ，Ｉｂを算出する。この積算平均値Ｉｒ，Ｉｇ，ＩｂをＲ，Ｇ，Ｂの可視光の受光量とする。
【００３８】
ただし、Ｒ，Ｇ，Ｂの可視光の受光量Ｉｒ，Ｉｇ，Ｉｂは、Ｒ、Ｇ、Ｂの可視光にそれぞれ感度を有するＣＣＤ１３２以外の受光センサ（図示せず）によって検出することも可能である。
【００３９】
また、カメラ１００には、ＣＧ（クロックジェネレータ）部１３６と、測光・測距用ＣＰＵ１３７と、充電・発光制御部１３８と、通信制御部１３９と、ＹＣ処理部１４０と、電源電池６８とが備えられている。
【００４０】
ＣＧ部１３６は、ＣＣＤセンサ１３２を駆動するための垂直同期信号ＶＤ，高速掃き出しパルスＰを含む駆動信号、白バランス・γ処理部１３３，Ａ／Ｄ変換部１３４を制御する制御信号、および通信制御部１３９を制御する制御信号を出力する。また、このＣＧ部１３６には、測光・測距用ＣＰＵ１３７からの制御信号が入力される。
【００４１】
測光・測距用ＣＰＵ１３７は、ズーム用モータ１１０、フォーカス用モータ１１１、絞り調節を行う絞り用モータ１１２を制御してズームレンズ１０１ａ、フォーカスレンズ１０１ｂ、絞り１３１をそれぞれ駆動することにより被写体までの距離の算出（測距）を行ない、ＣＧ部１３６および充電・発光制御部１３８を制御する。ズーム用モータ１１０、フォーカス用モータ１１１、絞り用モータ１１２の駆動は、モータドライバ６２によって制御され、モータドライバ６２の制御コマンドは、測光・測距用ＣＰＵ１３７あるいはメインＣＰＵ２０から送られる。
【００４２】
なお、ズームレンズ１０１ａ、フォーカスレンズ１０１ｂ、絞り１３１、ＡＦ補助光照射角の駆動源は、ズーム用モータ１１０、フォーカス用モータ１１１、絞り用モータ１１２のような各種モータに限定する必然性はなく、アクチュエータなどであってもよい。
【００４３】
測光・測距用ＣＰＵ１３７は、レリーズスイッチ１０４が半押し（Ｓ１オン）されると、ＣＣＤ１３２によって周期的（１／30秒から１／60秒ごと）に得られる画像データ（スルー画像）に基づいて被写体の明るさの測光（ＥＶ値の算出）を行う。
【００４４】
即ち、ＡＥ演算部１５１は、Ａ／Ｄ変換部１３４から出力されたＲ、Ｇ、Ｂの画像信号を積算し、その積算値を測光・測距用ＣＰＵ１３７に提供する。測光・測距用ＣＰＵ１３７は、ＡＥ演算部１５１から入力する積算値に基づいて被写体の平均的な明るさ（被写体輝度）を検出し、撮影に適した露出値（ＥＶ値）を算出する。
【００４５】
そして、測光・測距用ＣＰＵ１３７は、得られたＥＶ値に基づいて絞り１３１の絞り値（Ｆ値）及びＣＣＤ１３２の電子シャッタ（シャッタスピード）を含む露出値を所定のプログラム線図にしたがって決定する（ＡＥ動作）。
【００４６】
レリーズスイッチ１０４が全押し（Ｓ２オン）されると、測光・測距用ＣＰＵ１３７は、その決定した絞り値に基づいて絞り１３１を駆動し、絞り１３１の開口径を制御するとともに、決定したシャッタスピードに基づき、ＣＧ１３６を介してＣＣＤ１３２での電荷蓄積時間を制御する。
【００４７】
ＡＥ動作は、絞り優先ＡＥ，シャッタ速度優先ＡＥ，プログラムＡＥなどがあるが、いずれにおいても、被写体輝度を測定し、この被写体輝度の測光値に基づいて決められた露出値、すなわち絞り値とシャッタスピードとの組み合わせで撮影を行うことにより、適正な露光量で撮像されるように制御しており、面倒な露出決定の手間を省くことができる。
【００４８】
ＡＦ検出部１５０は、測光・測距ＣＰＵ１３７により選定された検出範囲に対応する画像データをＡ／Ｄ変換部１３４から抽出する。焦点位置を検出する方法は、合焦位置で画像データの高周波成分が最大振幅になるという特徴を利用して行う。ＡＦ検出部１５０は、抽出された画像データの高周波成分を１フィールド期間積分することにより、振幅値を算出する。ＡＦ検出部１５０は、測光・測距ＣＰＵ１３７がフォーカス用モータ１１１を駆動制御してフォーカスレンズ１０１ａを可動範囲内、即ち無限遠側の端点（ＩＮＦ点）から至近側の端点（ＮＥＡＲ点）の間で移動させている間に順次振幅値の計算を実行し、最大振幅を検出した時に検出値を測光・測距ＣＰＵ１３７に送信する。
【００４９】
測光・測距ＣＰＵ１３７は、この検出値を取得して対応する合焦位置に、フォーカスレンズ１０１ｂを移動させるようにフォーカス用モータ１１１に指令を出す。フォーカス用モータ１１１は、測光・測距ＣＰＵ１３７の指令に応じてフォーカスレンズ１０１ｂを合焦位置に移動させる（ＡＦ動作）。
【００５０】
測光・測距用ＣＰＵ１３７は、メインＣＰＵ２０とのＣＰＵ間通信によってレリーズスイッチ１０４と接続されており、ユーザによりレリーズスイッチ１０４が半押しされた時に、この合焦位置の検出が行われる。また、測光・測距用ＣＰＵ１３７には、ズーム用モータ１１１が接続されており、メインＣＰＵ２０が、ズームスイッチ１２７によってユーザからのＴＥＬＥ方向又はＷＩＤＥ方向へのズームの指令を取得した場合に、ズーム用モータ１１０を駆動させることにより、ズームレンズ１０１ａをＷＩＤＥ端とＴＥＬＥ端との間で移動させる。
【００５１】
充電・発光制御部１３８は，ストロボ１０５ａを発光させるために電源電池６８からの電力の供給を受けて図示しない閃光発光用のコンデンサを充電したり、そのストロボ１０５ａの発光を制御する。
【００５２】
充電・発光制御部１３８は，電源電池６８の充電開始、レリーズスイッチ１０４の半押し・全押し操作信号等の各種の信号や、発光量、発光タイミングを示す信号をメインＣＰＵ２０や測光・測距ＣＰＵ１３７から取り込んだことに応じ、セルフタイマランプ（タリーランプ）１０５ｃやＡＦ補助光ランプ１０５ｂへの電流供給制御を行い、所望の発光量が所望のタイミングで得られるように制御する。
【００５３】
なお、セルフタイマランプ１０５ｃはＬＥＤで構成してもよく、ＡＦ補助光ランプ１０５ｂを構成するＬＥＤと共通にしてもよい。
【００５４】
メインＣＰＵ２０には、セルフタイマ回路８３が接続されている。メインＣＰＵ２０は、セルフ撮影モードが設定されている場合、レリーズスイッチ１０４の全押し信号に基づいて計時を行なう。この計時中に、メインＣＰＵ２０は測光・測距ＣＰＵ１３７を介し、残り時間に合わせて点滅速度をだんだんと早めながら、セルフタイマランプ１０５ｃを点滅させる。セルフタイマ回路８３は、計時完了後に計時完了信号をメインＣＰＵ２０に入力する。メインＣＰＵ２０は、計時完了信号に基づいて、ＣＣＤ１３２にシャッタ動作を実施させる。
【００５５】
通信制御部１３９には、通信ポート１０７が備えられており、この通信制御部１３９は、カメラ１００により撮影された被写体の画像信号をＵＳＢ端子が備えられたパーソナルコンピュータ等の外部装置に出力し、およびこのような外部装置からカメラ１００に画像信号を入力することにより、その外部装置との間のデータ通信を担うものである。また、このカメラ１００は、ロール状の写真フイルムに写真撮影を行なう通常のカメラが有するＩＳＯ感度８０，１００，２００，４００，１６００等に切り替える機能を模擬した機能を有し、ＩＳＯ感度４００以上に切り替えられた場合、白バランス・γ処理部１３３の増幅器の増幅率が所定の増幅率を越えた高増幅率に設定された高感度モードとなる。通信制御部１３９は、高感度モードでの撮影中は、外部装置との通信を停止する。
【００５６】
また、カメラ１００には、圧縮・伸長＆ＩＤ抽出部１４３と、Ｉ／Ｆ部１４４が備えられている。圧縮・伸長＆ＩＤ抽出部１４３は、バッファメモリ１３５に格納された画像データを、バスライン１４２を介して読み出して圧縮し、Ｉ／Ｆ部１４４を経由してメモリカード２００に格納する。また、圧縮・伸長＆ＩＤ抽出部１４３は、メモリカード２００に格納された画像データの読み出しにあたり、メモリカード２００固有の識別番号（ＩＤ）を抽出し、そのメモリカード２００に格納された画像データを読み出して伸長し、バッファメモリ１３５に格納する。
【００５７】
バッファメモリ１３５に格納されたＹ／Ｃ信号は、圧縮・伸長＆ＩＤ抽出部１４３によって所定のフォーマットに従って圧縮された後、Ｉ／Ｆ１４４を介してメモリカード２００のようなリムーバブルメディアないしハードディスク（ＨＤＤ）７５のような内蔵型大容量記憶媒体に所定の形式（例えばExif（Exchangeable Image File Format）ファイル）で記録される。ハードディスク（ＨＤＤ）７５へのデータ記録またはハードディスク（ＨＤＤ）７５からのデータの読込みは、メインＣＰＵ２０の指令に応じてハードディスクコントローラ７４によって制御される。
【００５８】
また、カメラ１００には、メインＣＰＵ２０と、ＥＥＰＲＯＭ１４６と、ＹＣ／ＲＧＢ変換部１４７と、表示用のドライバ１４８とが備えられている。メインＣＰＵ２０は、このカメラ１００全体の制御を行なう。ＥＥＰＲＯＭ１４６には、このカメラ１００固有の固体データやプログラム等が格納されている。ＹＣ／ＲＧＢ変換部１４７は、ＹＣ処理部１４０で生成されたカラー映像信号ＹＣを３色のＲＧＢ信号に変換して表示用のドライバ１４８を経由して画像表示ＬＣＤ１０２に出力する。
【００５９】
また、カメラ１００は、ＡＣ電源から電力を得るためのＡＣアダプタ４８と電源電池６８とが着脱可能な構成となっている。電源電池６８は充電可能な二次電池、例えばニカド電池、ニッケル水素電池、リチウムイオン電池で構成される。電源電池６８は使い切り型の一次電池、例えばリチウム電池、アルカリ電池で構成してもよい。電源電池６８は図示しない電池収納室に装填することにより、カメラ１００の各回路と電気的に接続される。
【００６０】
ＡＣアダプタ４８がカメラ１００に装填されＡＣ電源からＡＣアダプタ４８を介してカメラ１００に電力が供給される場合には、電源電池６８が電池収納室に装填されている場合であっても、優先的に当該ＡＣアダプタ４８から出力された電力がカメラ１００の各部に駆動用の電力として供給される。また、ＡＣアダプタ４８が装填されておらず、かつ電源電池６８が電池収納室に装填されている場合には、当該電源電池６８から出力された電力がカメラ１００の各部に駆動用の電力として供給される。
【００６１】
なお、図示しないが、カメラ１００には、電池収納室内に収納される電源電池６８とは別にバックアップ電池が設けられている。内蔵バックアップ電池には例えば専用の二次電池が用いられ、電源電池６８によって充電される。バックアップ電池は、電源電池６８の交換や取り外し等、電源電池６８が電池収納室に装填されていない場合、カメラ１００の基本機能に給電する。
【００６２】
即ち、電源電池６８又はＡＣアダプタ４８からの電源供給が停止すると、バックアップ電池がスイッチング回路（図示せず）によってＲＴＣ１５等に接続され、これらの回路に給電する。これにより、バックアップ電池２９が寿命に達しない限り、ＲＴＣ１５等の基本機能には、電源供給が間断なく継続する。
【００６３】
ＲＴＣ（Real Time Clock）１５は計時専用のチップであり、電源電池６８やＡＣアダプタ４８からの給電がオフされていてもバックアップ電池から電源供給を受けて継続的に動作する。
【００６４】
画像表示ＬＣＤ１０２には透過型又は半透過型の液晶パネル７１を背面側から照明するバックライト７０が配設されており、省電力モードの場合には、メインＣＰＵ２０によりそのバックライト７０の明るさ（輝度）がバックライトドライバ７２を介して制御され、バックライト７０の消費電力が低減されるようになっている。また、省電力モードは、操作部１２０の情報位置指定キー１２６を押して画像表示ＬＣＤ１０２にメニュー画面を表示させ、そのメニュー画面で所定の操作を行うことによってオン／オフを設定することができるようになっている。
【００６５】
図４は第１実施形態に係るメインＣＰＵ２０の実行するプログラムをブロック図で概念的に示している。メインＣＰＵ２０は、ＥＥＰＲＯＭ１４６やハードディスク７５等のコンピュータ読み取り可能な記憶媒体に記憶されたプログラムである顔抽出部２０ａ、目領域検出部２０ｂ、目開閉検出部２０ｃ、表示制御部２０ｄをＲＡＭ１４５等に読み出して実行する。これらをまとめて単にプログラムと呼ぶこともある。
【００６６】
顔抽出部２０ａは、バッファメモリ１３５に逐次記憶されるスルー画像もしくはメモリカード２００の画像から人物の顔部分を含む領域である顔領域を抽出する。顔領域の抽出方法としては、例えば本出願人による特開平９−１０１５７９号公報「顔領域抽出方法及び複写条件決定方法」において開示された技術を適用することができる。
【００６７】
この技術は、撮影した画像の各画素の色相が肌色の範囲に含まれるか否かを判定して肌色領域と非肌色領域とに分割すると共に、画像中のエッジを検出して画像中の各箇所をエッジ部分又は非エッジ部分に分類する。そして、肌色領域内に位置し非エッジ部分に分類された画素からなり、かつエッジ部分と判定された画素で囲まれた領域を顔候補領域として抽出し、抽出した顔候補領域が人物の顔に相当する領域かを判定し、この判定結果に基づき顔領域として抽出するものである。また、この他に、特開２００３−２０９６８３号公報や特開２００２−１９９２２１号公報に記載される方法で顔領域を抽出することもできる。
【００６８】
目領域検出部２０ｂは、顔抽出部２０ａが画像から抽出した顔領域から目の存在する目領域を検出する。目領域は顔検出の結果得られる顔概略中心位置の相対的位置関係から検出することができる。
【００６９】
目開閉検出部２０ｃは、目領域内の目が開いているか又は閉じているかを判断する。目の開閉の判断方法は特に限定されない。例えば目開閉検出部１１２ｃは、両目に相当する２つの目領域内の縦方向黒色画素数をそれぞれ検出する。そして、２つの目領域の縦方向黒色画素数に基づき、両目が開いているか否かを判断する。
【００７０】
表示制御部２０ｄは、ドライバ１４８に内蔵されたＯＳＤ信号発生回路１４８ａに対し、シャッタ速度や絞り値、撮影可能枚数、撮影日時、警告メッセージ、グラフィカルユーザインターフェイス（ＧＵＩ）等の文字及び記号情報を表示するための信号を発生させるコマンドを送る。ＯＳＤ信号発生回路１４８ａから出力される信号は、必要に応じてＹＣ／ＲＧＢ変換部１４７からの画像信号に混合されて、液晶パネル７１に供給される。これにより、スルー画像や再生画像に文字等が合成された合成画像が表示される。
【００７１】
以下、図５のフローチャートを参照し、カメラ１００の実行する撮影処理の流れを説明する。
【００７２】
Ｓ１では、電源スイッチ１２１のオンに連動してＬＣＤ１０２へのスルー画の表示を開始する。
【００７３】
Ｓ２では、顔抽出部２０ａは、スルー画について、顔領域の抽出を行う。表示制御部２０ｄは、ＯＳＤ信号発生回路１４８ａを制御し、各顔領域の周縁部分に相当する枠（周縁枠）の映像信号を生成させ、この周縁枠をスルー画像から検出された各顔領域の周縁部分に合成して表示させる。図６は周縁枠の表示例を示す。
【００７４】
Ｓ３では、ＣＰＵ２０は、レリーズスイッチ１０４が全押しされたか否かを判断する。全押しされた場合はＳ４、全押しされない場合はＳ１に移行する。
【００７５】
Ｓ４では、ＣＰＵ２０は、ＣＣＤ１３２のシャッタ動作を制御し、記録用画像データの取得を行う。取得された画像データはＹ／Ｃ信号に変換され、ガンマ補正等の所定の処理が施された後、メモリカード２００（もしくはＨＤＤ７５）に格納される。記録用画像はＬＣＤ１０２に表示される。顔抽出部２０ａは、メモリカード２００の記録用画像について、顔領域の抽出を行う。
【００７６】
Ｓ５では、目領域検出部２０ｂは、顔抽出部２０ａが記録用画像から抽出した顔領域から目の存在する目領域を検出する。
【００７７】
Ｓ６では、目開閉検出部２０ｃは、少なくとも１つの目領域の目が閉じているか否かを判断する。少なくとも１つの目領域の目が閉じている場合はＳ７に移行する。いずれの目領域の目も開いている場合はこの処理を終了する。
【００７８】
Ｓ７では、表示制御部２０ｄは、ＯＳＤ信号発生回路１４８ａを制御し、目つぶりが発生している旨の警告メッセージの映像信号を生成させた上、生成された警告メッセージを記録用画像と合成してＬＣＤ１０２に表示させる。
【００７９】
Ｓ８では、表示制御部２０ｄは、ＯＳＤ信号発生回路１４８ａを制御し、目が閉じていると判断された目領域を有する顔領域の周縁枠の属性を変更し、属性の変更された周縁枠の映像信号を生成させ、これを記録用画像と合成してＬＣＤ１０２に表示させる。周縁枠の属性を変更するとは、例えば、色、周縁枠の線幅、枠の点滅の有無や点滅間隔のうち少なくともいずれか１つである。
【００８０】
または表示制御部２０ｄは、目が閉じていると判断された目領域を有する顔領域内部の属性を変更し、属性の変更された顔領域の映像信号を生成させ、これを記録用画像と合成してＬＣＤ１０２に表示させる。顔領域の属性を変更するとは、例えば顔領域の色相、エッジの強調の有無、ぼかしの有無のうち少なくともいずれか１つである。
【００８１】
あるいは、顔領域の周縁枠の属性の変更または顔領域内部の属性の変更の双方を実行してもよい。
【００８２】
図７は記録用画像に合成された属性警告メッセージＭ、属性の変更された周縁枠Ｆおよび顔領域Ｒの表示例を示す。ここでは、周縁枠Ｆの属性が直線から点線に変更され、かつ顔領域Ｒ内部の属性が網かけ表示に変更されている。
【００８３】
このように、記録用画像について目つぶりが検出されると、目つぶり顔領域の周縁枠の属性もしくは目つぶりの顔領域内部の属性が変更されるから、撮影者はどの被写体に目つぶりが生じているかが容易に分かり、目つぶりを生じていないような良好な画像の再撮影の機会を逃す可能性を減少させることができる。
【００８４】
＜第２実施形態＞
図８は第２実施形態に係るメインＣＰＵ２０の実行するプログラムをブロック図で概念的に示している。
【００８５】
撮影制御部２０ｅは、セルフタイマ回路８３の動作と連動し、下記の撮影処理を制御する。その他のプログラムは第１実施形態と同様である。
【００８６】
図９は第２実施形態に係る撮影処理の流れを示すフローチャートである。
【００８７】
Ｓ１０では、撮影制御部２０ｅは、セルフ撮影モードが設定されている場合、レリーズスイッチ１０４の全押し信号に基づいてセルフタイマ回路８３による所定の待ち時間の計時を開始する。この計時中に、セルフタイマ回路８３は、測光・測距ＣＰＵ１３７を介し、所定の待ち時間の残り時間に合わせて点滅速度がだんだん早まるような点滅パターン（計時点滅パターン）で、セルフタイマランプ１０５ｃを点滅させる。
【００８８】
Ｓ１１では、顔抽出部２０ａは、スルー画について、顔領域の抽出を行う。抽出された顔領域のうち、最も優先度の高い顔領域（例えば、顔領域の大きさが最大のもの、顔抽出の精度が最大のもの、操作部１２０から最も優先度が高い顔領域が存在すべき位置として任意に指定された位置に、例えば画角中央に存在する顔領域）について、ＡＦ・ＡＥ動作を行い、この動作で得られた焦点位置および露出値をロックする。
【００８９】
Ｓ１２では、セルフタイマ回路８３は、所定の待ち時間の計時が完了すると、計時完了信号をメインＣＰＵ２０に入力する。メインＣＰＵ２０は、計時完了信号に基づいて、ＣＣＤ１３２にシャッタ動作を実施させ、記録用画像を取得する。取得された画像データはメモリカード２００（もしくはＨＤＤ７５）に格納される。
【００９０】
Ｓ１３では、顔抽出部２０ａは、メモリカード２００の記録用画像について、顔領域の抽出を行う。
【００９１】
Ｓ１４では、目領域検出部２０ｂは、顔抽出部２０ａが記録用画像から抽出した顔領域から目の存在する目領域を検出する。
【００９２】
Ｓ１５では、目開閉検出部２０ｃは、少なくとも１つの目領域の目が閉じているか否かを判断する。少なくとも１つの目領域の目が閉じている場合はＳ１６に移行する。いずれの目領域の目も開いている場合はＳ１８に移行する。
【００９３】
Ｓ１６では、撮影制御部２０ｅは、Ｓ１１で最も優先度の高い顔領域に対してロックされた焦点位置・露出値を維持したままセルフタイマ回路８３の計時動作を再び起動する。なお、被写体の移動など撮影条件の変化により、最も優先度の高い顔領域への焦点位置および露出値のロックが維持できない場合は、２番目以降に優先度の高い顔領域に対してＡＦ・ＡＥ動作を行い、この動作で得られた焦点位置および露出値をロックするとよい。
【００９４】
Ｓ１７では、撮影制御部２０ｅは、計時完了信号に基づいて、ＣＣＤ１３２にシャッタ動作を実施させ、記録用画像を取得する。そしてＳ１３に戻る。
【００９５】
Ｓ１８では、撮影制御部２０ｅは、測光・測距ＣＰＵ１３７を介し、Ｓ１０での点滅パターン（計時パターン）と異なる特有の点滅パターン（撮影完了パターン）でセルフタイマランプ１０５ｃを点滅させ、撮影が成功したことを通知する。撮影完了点滅パターンは、例えば、計時点滅パターンの発光色、発光周期、発光時間を計時パターンから変更することで得られる。
【００９６】
このように、記録用画像について目つぶりが検出されなくなるまでセルフタイマ撮影が繰り返されるから、撮影者がいちいち目つぶりの有無を確認することなく、目つぶりのない記録用画像を得るための撮影を繰り返すことができる。
【００９７】
また、目つぶりのない記録用画像が得られれば、セルフタイマランプ１０５ｃが、点灯パターンが計時パターンでなく撮影完了パターンで点灯するから、目つぶりのない記録用画像が得られたことが、自ら被写体となった撮影者にも容易に分かる。
【００９８】
＜第３実施形態＞
図１０は第３実施形態に係るメインＣＰＵ２０の実行するプログラムをブロック図で概念的に示している。
【００９９】
合成部２０ｅは、ある記録用画像におけるある被写体の顔領域を、別の記録用画像におけるその被写体の顔領域に合成する。その他のプログラムは第１・２実施形態と同様である。
【０１００】
図１１は第３実施形態に係る撮影処理の流れを示すフローチャートである。
【０１０１】
Ｓ２０〜Ｓ２７、Ｓ３１はそれぞれ、第２実施形態に係る撮影処理のＳ１０〜Ｓ１７、Ｓ１８と同様である。
【０１０２】
Ｓ２８では、合成部２０ｆは、操作部１２０の操作に応じ、メモリカード２００に保存された記録用画像の中から所望の画像の選択を受け付ける。合成部２０ｆは、選択された画像の中から、合成元となる顔領域（以下「切り抜き顔領域」という）の選択を受け付ける。また、合成部２０ｆは、目つぶりの検出された顔領域のうち、切り抜き顔領域の合成先となる顔領域（以下「貼り付け先顔領域」という）の選択を受け付ける。
【０１０３】
図１２に例示するように、合成部２０ｆは、ＯＳＤ信号発生回路１４８ａの生成した「切り抜き元設定」画面で、切り抜き顔領域の選択を受け付ける。
【０１０４】
また、図１３に例示するように、合成部２０ｆは、ＯＳＤ信号発生回路１４８ａの生成した「貼り付け先設定」画面で、貼り付け先顔領域の選択を受け付ける。
【０１０５】
Ｓ２９では、合成部２０ｆは、選択された切り抜き顔領域を、貼り付け先顔領域に合成する。表示制御部２０ｄは、切り抜き顔領域が貼り付け先顔領域に合成された記録用画像（合成画像）をＬＣＤ１０２に表示する。
【０１０６】
図１４は切り抜き顔領域Ｘを、図１５は貼り付け先顔領域Ｘ’を、図１６は合成画像を表示している様子を示す。
【０１０７】
Ｓ３０では、合成部２０ｆは、操作部１２０からの記録指示に応じ、合成画像を、メモリカード２００に格納する。なお合成部２０ｆは、操作部１２０からの削除指示に応じ、合成画像を破棄し、その後Ｓ２６に戻るかあるいはＳ２８に戻ってもよい。
【０１０８】
このように、セルフ撮影で得られた記録用画像からある被写体の目つぶりが検出されると、セルフ撮影が再実行され、得られた記録用画像の目つぶりをしていない同一の被写体の顔領域で目つぶり顔領域を置き換えることができる。また、異なる画像で異なる被写体が目つぶりを起こしていても（図４ではＸとＹ）、撮影者はより好ましい記録用画像の上に切り抜き顔領域を合成できる。
【図面の簡単な説明】
【０１０９】
【図１】デジタルカメラの正面図
【図２】デジタルカメラの背面図
【図３】デジタルカメラのブロック構成図
【図４】第１実施形態に係るメインＣＰＵの実行するプログラムを概念的に示した図
【図５】第１実施形態に係る撮影処理の流れを示すフローチャート
【図６】顔領域の周縁枠の表示例を示す図
【図７】属性の変更された周縁枠および顔領域内部の表示例を示す図
【図８】第２実施形態に係るメインＣＰＵの実行するプログラムを概念的に示した図
【図９】第２実施形態に係る撮影処理の流れを示すフローチャート
【図１０】第３実施形態に係るメインＣＰＵの実行するプログラムを概念的に示した図
【図１１】第３実施形態に係る撮影処理の流れを示すフローチャート
【図１２】「切り抜き元設定」画面の表示例を示す図
【図１３】「貼り付け先設定」画面の表示例を示す図
【図１４】切り抜き顔領域の一例を示す図
【図１５】貼り付け先顔領域の一例を示す図
【図１６】合成画像の一例を示す図
【符号の説明】
【０１１０】
２０：メインＣＰＵ、８３：セルフタイマ回路、１０１：撮影レンズ、１０５ｃ：セルフタイマランプ、１３２：ＣＣＤ、１３４：Ａ／Ｄ変換部、１５０：ＡＦ検出部、１５１：ＡＥ演算部
【図１】
2008131094.tif 000003
【図２】
2008131094.tif 000004
【図３】
2008131094.tif 000005
【図４】
2008131094.tif 000006
【図５】
2008131094.tif 000007
【図６】
2008131094.tif 000008
【図７】
2008131094.tif 000009
【図８】
2008131094.tif 000010
【図９】
2008131094.tif 000011
【図１０】
2008131094.tif 000012
【図１１】
2008131094.tif 000013
【図１２】
2008131094.tif 000014
【図１３】
2008131094.tif 000015
【図１４】
2008131094.tif 000016
【図１５】
2008131094.tif 000017
【図１６】
2008131094.tif 000018